(57)【要約】【課題】より簡単な操作でトラクタ用紙がピンベルトから外れるのを抑制することが可能なトラクタならびに当該トラクタを備えた事務機を得る。【解決手段】ピン１４ｂが送り孔６ｂに挿入されてトラクタ用紙６がピンベルト１４にセットされ、かつ可動カバー１７が閉じられた状態で、トラクタ用紙６の載置領域Ａｐの一部に、上方に露出する紙押さえ領域Ａｅが形成される。作業者は、紙押さえ領域Ａｅを手指等で押さえたまま、可動カバー１７を閉じることができる。【選択図】図５
2011046508.tif 000002
【特許請求の範囲】
【請求項１】
トラクタ用紙に形成された送り孔に挿入されるピンを有し、輪転することでトラクタ用紙を搬送する無端状のピンベルトと、
前記ピンベルトを輪転可能に支持するベースと、
前記ベース上またはピンベルト上に載置されたトラクタ用紙の載置領域の一部を上方から開閉可能に覆う可動カバーと、
を備え、
前記ピンが前記送り孔に挿入されてトラクタ用紙が前記ピンベルトにセットされ、かつ前記可動カバーが閉じられた状態で、前記トラクタ用紙の前記載置領域の他の一部に、上方に露出する紙押さえ領域が形成されることを特徴とするトラクタ。
【請求項２】
前記紙押さえ領域が、前記載置領域内のトラクタ用紙の搬送方向の上流側に形成されることを特徴とする請求項１に記載のトラクタ。
【請求項３】
前記紙押さえ領域に、トラクタ用紙が前記ピンベルトから離間して前記ピンが前記送り孔より上方に突出しない非突出区間が含まれることを特徴とする請求項１または２に記載のトラクタ。
【請求項４】
前記紙押さえ領域が前記載置領域内のトラクタ用紙の搬送方向の上流側に形成されるとともに、前記ベースの上面上に載置され、
前記紙押さえ領域が載置される部分では、前記ベースの上面と前記ピンベルトとが、トラクタ用紙の搬送方向の上流側に向かうほど大きく離間することを特徴とする請求項３に記載のトラクタ。
【請求項５】
トラクタ用紙を挿入する給紙口が形成された筐体と、
少なくとも一部が前記筐体内に収容された請求項１〜４のうちいずれか一つに記載のトラクタと、
を備えることを特徴とする事務機。
【請求項６】
前記紙押さえ領域が前記給紙口の開口縁に隣接して形成されることを特徴とする請求項５に記載の事務機。
【発明の詳細な説明】
【技術分野】
【０００１】
本発明は、トラクタおよびトラクタを備える事務機に関する。
【背景技術】
【０００２】
従来、輪転するピンベルトによってトラクタ用紙を搬送するトラクタが知られている（例えば特許文献１）。ピンベルトの外周面には、長手方向に沿って一定のピッチでピンが形成されている。また、トラクタ用紙の幅方向の両縁には、紙送り方向（搬送方向）に沿って、ピンと同じピッチで当該ピンが挿入される送り孔が形成されている。作業者は、トラクタ用紙を、トラクタ上に、トラクタ用紙の幅方向両側の送り孔に二つのピンベルトのピンがそれぞれ挿入される状態に載せて、セットする。そして、トラクタがピンベルトを輪転させ、セットされたトラクタ用紙を搬送する。
【０００３】
さらに、特許文献１のトラクタは、作業者がセットしたトラクタ用紙を開閉可能に覆う紙押さえ板を備えている。作業者は、トラクタの紙押さえ板を開いて開放された部分にトラクタ用紙を載せてセットし、その後、開閉式の紙押さえ板を閉じる。
【発明の概要】
【発明が解決しようとする課題】
【０００４】
上記特許文献１に開示されるトラクタでは、作業者が紙押さえ板を閉じる際に、トラクタ用紙の送り孔からピンが抜け出てトラクタ用紙がピンベルトから外れないようにすることが望まれる。この際、作業者が手指等でトラクタ用紙をトラクタの本体部上またはピンベルト上に押しつけておけば、トラクタ用紙がピンベルトから外れるのを抑制することができる。しかし、作業者は、開閉式の紙押さえ板が閉位置に到達する前に、手指等をトラクタ用紙から外す必要があるため、紙押さえ板の閉動作の最後までトラクタ用紙を手指等で押さえておくことはできない。そして、紙押さえ板が閉位置に到達する直前に作業者が手指をトラクタ用紙から離す操作は、面倒であった。
【０００５】
そこで、本発明は、より簡単な操作でトラクタ用紙がピンベルトから外れるのを抑制しやすいトラクタならびに当該トラクタを備えた事務機を得ることを目的とする。
【課題を解決するための手段】
【０００６】
本発明は、トラクタ用紙に形成された送り孔に挿入されるピンを有し、輪転することでトラクタ用紙を搬送する無端状のピンベルトと、前記ピンベルトを輪転可能に支持するベースと、前記ベースまたはピンベルト上に載置されたトラクタ用紙の載置領域の一部を上方から開閉可能に覆う可動カバーと、を備え、前記ピンが前記送り孔に挿入されてトラクタ用紙が前記ピンベルトにセットされ、かつ前記可動カバーが閉じられた状態で、前記載置領域の他の一部に紙押さえ領域が形成されることを特徴とする。
【発明の効果】
【０００７】
本発明にかかるトラクタでは、作業者は、トラクタ用紙の紙押さえ領域を手指等で押さえたまま可動カバーを閉じることができる。また、本発明にかかるトラクタでは、作業者は、上記従来技術のように可動カバーを閉じる前に手指等をトラクタ用紙から離す必要がない。よって、本発明にかかるトラクタによれば、より簡単な操作でトラクタ用紙がピンベルトから外れるのを抑制しやすいという効果が得られる。
【図面の簡単な説明】
【０００８】
【図１】図１は、本発明の実施形態にかかるトラクタを備えた事務機の斜視図である。
【図２】図２は、本発明の実施形態にかかるトラクタの斜視図であって、トラクタ用紙がセットされた状態を示す図である。
【図３】図３は、本発明の実施形態にかかるトラクタのピンベルトの周方向に沿う断面を示す側方断面図であって、可動カバーを開いた状態を示す図である。
【図４】図４は、本発明の実施形態にかかるトラクタのピンベルトの周方向に沿う断面を示す側方断面図であって、可動カバーを開いてピンベルト上にトラクタ用紙を載せて手指で押さえた状態を示す図である。
【図５】図５は、本発明の実施形態にかかるトラクタのピンベルトの周方向に沿う断面を示す側方断面図であって、ピンベルト上にトラクタ用紙を載せて手指で押さえるとともに可動カバーを閉じた状態を示す図である。
【発明を実施するための形態】
【０００９】
以下、添付図面を参照して、この発明にかかるトラクタならびにトラクタを備える事務機の実施形態を詳細に説明する。
【００１０】
図１に示すように、本実施形態にかかる事務機１は、本体部３を備えている。本体部３の筐体２内には、コンピュータの本体部（図示せず）とプリンタ部（図示せず）とが収容されている。また、事務機１は、諸情報の入力部としてのキーボード４と、諸情報の出力部（表示部）としてのディスプレイ５と、を備えている。
【００１１】
事務機１のプリンタ部で印字されるトラクタ用紙（図２参照）６は、切り離し可能なミシン目（図示せず）が長手方向に一定間隔で形成された帯状の用紙である。トラクタ用紙６の両側部には、長手方向に沿って一定のピッチで複数の送り孔６ｂが形成されている。トラクタ用紙６は、ミシン目を境界としてジグザグに折りたたまれた積層状態で事務機１の横に置かれ、トラクタ９（図２〜５参照）によって搬送されることで上方から順次引き出される。トラクタ用紙６は、一例としては、複数の紙を重ねた伝票用紙として利用される。
【００１２】
筐体２の、ディスプレイ５の反対側となる位置には、トラクタ用紙６の給紙口７が形成されている。そして、筐体２の上方には、給紙口７から筐体２内に取り込まれたトラクタ用紙６がプリンタ部で印字された後に排出される排紙口８が形成されている。
【００１３】
また、筐体２の内部には、トラクタ用紙６を搬送するトラクタ９（図２〜５参照）が収容されている。このトラクタ９には、図５等に示すように、給紙口７から排紙口８に至る用紙経路１０が形成されている。トラクタ９は、給紙口７から取り込まれたトラクタ用紙６を、用紙経路１０内で、プリンタ部を介して排紙口８に向けて搬送し、排紙口８から排出する。なお、図示しないが、本実施形態ではディスプレイ５の下方にも給紙口が形成されている。図示しないトラクタ９とは別の搬送機構が、作業者によってディスプレイ５の下の給紙口から挿入された紙をローラ等で搬送し、プリンタ部を介して排紙口８から排出する。
【００１４】
図２に示すように、トラクタ９は、ピンベルト１４（図３参照）を有するベルトユニット１１を備えている。ベルトユニット１１は、トラクタ用紙６の幅方向の両端縁６ａに対応する位置にそれぞれ配置されている。また、ベルトユニット１１は、トラクタ用紙６の幅方向の両端縁６ａに沿って伸びている。そして、ベルトユニット１１は、下方に凸の弓形に湾曲している。また、トラクタ９は、ベルトユニット１１の形状に沿って弓形に湾曲するガイド部１２を備えている。ガイド部１２は、セットされたトラクタ用紙６の幅方向の中間部に対向している。さらに、トラクタ９は、トラクタ用紙６の幅方向に沿って伸びるシャフト１３を備えている。シャフト１３は一対のベルトユニット１１間で架設されている。なお、シャフト１３以外の図示しないシャフトを、ベルトユニット１１間で架設することができる。また、一対のベルトユニット１１は相互に平行に配置されている。そして、トラクタ９は、いずれか一方のベルトユニット１１をシャフト１３に沿ってスライドさせることで相互の間隔を可変設定し、幅の異なるトラクタ用紙６を搬送する。
【００１５】
図３〜５に示すように、ベルトユニット１１は、ベース１５、固定カバー１６、可動カバー１７、およびローラ保持体１９を備えている。ベース１５は、無端状のピンベルト１４を輪転可能に支持している。また、ベース１５は、固定カバー１６、可動カバー１７、およびローラ保持体１９を支持している。固定カバー１６および可動カバー１７は、ベース１５の上方を間隔をあけて覆っている。ローラ保持体１９は、ローラ１８を有している。ローラ１８は、ピンベルト１４を上方から押圧してピンベルト１４の輪転とともに回転する。
【００１６】
ピンベルト１４は、エラストマ等の可撓性材料で構成されている。ピンベルト１４は、一定幅で帯状のベルト部１４ａと、ベルト部１４ａの外周側の幅方向中央部で周方向に一定のピッチで突出する複数のピン１４ｂと、を有している。ピンベルト１４は、ベース１５に回転可能に支持された複数のローラ２０，２０間で掛け渡されている。そして、ピンベルト１４は、上述したローラ保持体１９のローラ１８によって、ベルトユニット１１の湾曲形状の内側から外側に向けて押圧されている。そして、複数のローラ２０のうち少なくともいずれか一つが、モータや、ギヤ、シャフト等（いずれも図示せず）を介して回転駆動される。本実施形態では、図５で右側に配置したローラ２０Ａが反時計回り方向に回転して、ピンベルト１４を一定の軌跡で輪転させる。ピンベルト１４の上側の架橋部分では、ベルト部１４ａならびに複数のピン１４ｂが図５の左方向へ向けて移動する。すなわち、図５では、トラクタ用紙６の搬送方向は、上流側（給紙口７の近傍）では左方向、長手方向の中間部から下流側（排紙口８の近傍）にかけては左上方向から上方向である。
【００１７】
また、図５に示すように、固定カバー１６、可動カバー１７、およびローラ保持体１９の下面１６ａ，１７ａ，１９ａは、ベース１５の上面１５ａに対してほぼ一定の間隔をあけて対向配置されている。また、トラクタ用紙６は、ベース１５の上面１５ａ上に摺動可能に載置されている。そして、下面１６ａ，１７ａ，１９ａと上面１５ａとの間に形成される扁平かつ長い空間が、トラクタ用紙６が搬送される用紙経路１０となっている。
【００１８】
用紙経路１０の少なくとも長手方向中間部では、ピン１４ｂの突出端部側がベース１５の上面より突出している。したがって、この部分では、ピンベルト１４の輪転に伴って移動するピン１４ｂによりトラクタ用紙６の送り孔６ｂの縁が係止される。よって、ピン１４ｂによってトラクタ用紙６が牽引される。なお、トラクタ９は、トラクタ用紙６を輪転するベルト部１４ａ上に載せて搬送してもよい。
【００１９】
可動カバー１７は、図２に示すように、ベルトユニット１１のベース１５にヒンジ部１５ｂを介して回動可能に支持されている。可動カバー１７は、作業者が手指等で加えた力によって、図３に示す起立した開位置と、図２，４，５に示す伏臥した閉位置との間で往復移動する。また、本実施形態では、ヒンジ部１５ｂは各ベルトユニット１１においてトラクタ用紙６の幅方向外側に設けられている。そして、ヒンジ部１５ｂの回動軸はトラクタ用紙６の幅方向両端縁６ａに沿っている。したがって、ベルトユニット１１のそれぞれに設けられた二つの可動カバー１７は、相互に幅方向内側に向かいあうように伏臥した閉位置からトラクタ用紙６の幅方向外側かつ上側に向けて観音開き状に開く。また、可動カバー１７とベース１５との間には、規定値を超える外力を加えない限り可動カバー１７を少なくとも開位置および閉位置で維持するクリック機構を設けるのが好適である。また、可動カバー１７とベース１５との間には、可動カバー１７を閉方向または開方向に付勢するコイルスプリング等の弾性部材を介在させることができる。
【００２０】
次に、図３〜図５を参照して、作業者がトラクタ用紙６をトラクタ９にセットする手順について説明する。まずは、図３に示すように、作業者は手指等で可動カバー１７を開き、ベース１５の上面１５ａの搬送方向上流側の領域を露出させる。そして、作業者は、図４に示すように、この領域にトラクタ用紙６を手指等で載置してセットする。セット時におけるトラクタ用紙６の載置領域Ａｐを図４および図５に示す。
【００２１】
そして、作業者は、セットしたトラクタ用紙６を手指Ｆ等でベース１５の上面１５ａ上に押しつける。このとき、作業者は、トラクタ用紙６の、可動カバー１７の搬送方向上流側の縁１７ｂよりもさらに上流側（図４、５では右側）の領域を、手指Ｆ等で押さえる。
【００２２】
次に、図５に示すように、作業者は、可動カバー１７を閉じる。ここで、本実施形態では、閉位置にある可動カバー１７は載置領域Ａｐの一部のみを覆う。よって、他の一部には上方に露出した紙押さえ領域Ａｅが形成される。具体的には、可動カバー１７が載置領域Ａｐのうち搬送方向の下流側のみを上方から覆うため、載置領域Ａｐの搬送方向の上流側には、上方に露出した紙押さえ領域Ａｅが形成される。つまり、図４に示した、可動カバー１７が開いた状態で作業者がトラクタ用紙６の載置領域Ａｐを手指Ｆ等で押さえるステップでは、作業者は紙押さえ領域Ａｅを押さえるのである。この紙押さえ領域Ａｅは、可動カバー１７を閉じた状態でも可動カバー１７によって覆われず、上方に露出したままであり、手指Ｆ等で押さえるのに十分な広さが確保されている。よって、作業者は、紙押さえ領域Ａｅを手指Ｆ等で押さえたまま可動カバー１７を閉じることができる。したがって、本実施形態によれば、上記従来技術のように、作業者は、可動カバー１７が閉じられる前に手指Ｆ等をトラクタ用紙６から離す必要がない。よって、本実施形態によれば、より簡単な操作でトラクタ用紙６がピンベルト１４から外れるのを抑制しやすくなる。
【００２３】
作業者は、トラクタ用紙６をトラクタ９にセットする際、通常、手指等でトラクタ用紙６を持って、搬送方向の上流側からトラクタ９に近づけてセットする。すなわち、トラクタ用紙６をセットする作業者は、トラクタ９および事務機１に対して搬送方向の上流側にいる場合が多いことになる。このため、仮に、紙押さえ領域Ａｅが載置領域Ａｐのうち搬送方向の下流側に形成されていると、作業者は、当該作業者に対して可動カバー１７を閉じる部分よりも遠くにある紙押さえ領域Ａｅを手指Ｆ等で押さえて、当該手指Ｆ等が可動カバー１７に干渉しないように避けながら、可動カバー１７を閉じることになる。この点、本実施形態では、紙押さえ領域Ａｅが載置領域Ａｐのうち搬送方向の上流側に形成されて、搬送方向の下流側に形成された場合に比べて可動カバー１７と手指Ｆ等との干渉が起こりにくくなる。よって、作業者は、手指Ｆ等でトラクタ用紙６の紙押さえ領域Ａｅを押さえながら、可動カバー１７をより簡単に閉じることができる。さらに、本実施形態によれば、作業者は、二つのベルトユニット１１に対応するトラクタ用紙６の紙押さえ領域Ａｅを左右の手の親指で押さえながら、人差し指等の他の指で二つの可動カバー１７をトラクタ用紙６の幅方向内側に押し倒して閉じることができる。すなわち、本実施形態によれば、作業者は、トラクタ用紙６の幅方向両側のベルトユニット１１に対するトラクタ用紙６のセットを、両手で一度に比較的簡単に行うことができる。
【００２４】
さらに、図１も参照すれば、本実施形態では、紙押さえ領域Ａｅが、載置領域Ａｐのうち、事務機１の筐体２に形成された給紙口７よりも筐体２の内部側（奥側）ではなく、開口縁７ａ側に（すなわち、開口縁７ａに隣接した領域に）形成されていることが理解できよう。このように、紙押さえ領域Ａｅが開口縁７ａに隣接した領域に形成されると、作業者は紙押さえ領域Ａｅを押さえる手指Ｆ等を給紙口７の奥側まで入れる必要がない。よって、作業者は手指Ｆ等でトラクタ用紙６の紙押さえ領域Ａｅを押さえながら、可動カバー１７を比較的簡単に閉じることができる。
【００２５】
また、図５に示すように、本実施形態では、搬送方向の上流側でベース１５の上面１５ａをピンベルト１４から上方に離間している。よって、紙押さえ領域Ａｅに、トラクタ用紙６がピンベルト１４から上方に離間してピン１４ｂが送り孔６ｂより上方に突出しない非突出区間Ｓが含まれている。作業者は、トラクタ用紙６の、ピン１４ｂが送り孔６ｂを貫通して上方に突出する部分を、手指Ｆ等で押さえることができない。この点、本実施形態によれば、紙押さえ領域Ａｅ内に非突出区間Ｓが含まれるため、作業者が紙押さえ領域Ａｅのうち手指Ｆ等でトラクタ用紙６を押さえることができる領域をより広く確保することができる。よって、作業者は、可動カバー１７をより確実に閉じることができる。また、紙押さえ領域Ａｅ内に、ピン１４ｂが送り孔６ｂより上方に突出する区間がより広く生じる場合には、手指Ｆ等で押さえられる領域が狭まる分、紙押さえ領域Ａｅを余分に大きく確保することが必要となる虞がある。この点、本実施形態のように紙押さえ領域Ａｅに非突出区間Ｓを形成すれば、紙押さえ領域Ａｅを比較的小さくできて、装置構成をより小型化しやすくなる。
【００２６】
また、図５に示すように、本実施形態では、紙押さえ領域Ａｅがベース１５の上面１５ａ上に載置される部分では、ベース１５の上面１５ａとピンベルト１４とが、トラクタ用紙６の搬送方向の上流側に向かうにつれて徐々に大きく離間している。ベース１５の上面１５ａにおいて、紙押さえ領域Ａｅで上流側となる非突出区間Ｓに対応する部分と、その下流側となるピン１４ｂが送り孔６ｂに挿入される区間に対応する部分と、の境界で段差が生じると、トラクタ用紙６の円滑な搬送が阻害される虞がある。この点、本実施形態では、非突出区間Ｓに対応する部分では、ベース１５の上面１５ａとピンベルト１４とがトラクタ用紙６の搬送方向の上流側に向かうほど大きく離間している。よって、本実施形態によれば、上記境界で大きな段差が生じるのを抑制することができる。したがって、本実施形態によれば、トラクタ用紙６のより円滑な搬送を確保しながら、非突出区間Ｓを比較的容易に得ることができる。
【００２７】
以上、説明したように、本実施形態にかかるトラクタ９およびこのトラクタ９を備える事務機１では、ピン１４ｂが送り孔６ｂに挿入されてトラクタ用紙６がピンベルト１４にセットされ、かつ可動カバー１７が閉じられた状態で、載置領域Ａｐの一部に、上方に露出する紙押さえ領域Ａｅが形成される。よって、作業者は、紙押さえ領域Ａｅを手指Ｆ等で押さえたまま可動カバー１７を閉じることができ、上記従来技術のように可動カバー１７を閉じる前に手指Ｆ等をトラクタ用紙６から離す必要がない。よって、本実施形態によれば、上記従来技術に比べてより簡単な操作でトラクタ用紙６がピンベルト１４から外れるのを抑制しやすくなる。
【００２８】
また、本実施形態では、紙押さえ領域Ａｅが載置領域Ａｐ内のトラクタ用紙６の搬送方向の上流側に形成される。よって、本実施形態では、紙押さえ領域Ａｅが載置領域Ａｐのうち搬送方向の下流側に形成された場合に比べて可動カバー１７と手指Ｆ等との干渉が起こりにくくなる。したがって、作業者は、手指Ｆ等でトラクタ用紙６の紙押さえ領域Ａｅを押さえながら、可動カバー１７をより簡単に閉じることができる。
【００２９】
また、本実施形態では、紙押さえ領域Ａｅに、トラクタ用紙６がピンベルト１４から離間してピン１４ｂが送り孔６ｂより上方に突出しない非突出区間Ｓが含まれる。本実施形態によれば、紙押さえ領域Ａｅのうち作業者が手指Ｆ等でトラクタ用紙６を押さえる領域をより広く確保することができる。よって、作業者は、手指Ｆ等でトラクタ用紙６の紙押さえ領域Ａｅを押さえながら、可動カバー１７をより確実に閉じることができる。
【００３０】
また、本実施形態では、紙押さえ領域Ａｅがベース１５の上面１５ａ上に載置される部分では、ベース１５の上面１５ａとピンベルト１４とが、トラクタ用紙６の搬送方向の上流側に向かうほど大きく離間している。よって、本実施形態によれば、トラクタ用紙６のより円滑な搬送を確保しながら、非突出区間Ｓを比較的容易に得ることができる。
【００３１】
また、本実施形態では、紙押さえ領域Ａｅが給紙口７の開口縁７ａに隣接して形成される。よって、紙押さえ領域Ａｅが筐体２の内部側（奥側）に形成された場合に比べて、作業者は紙押さえ領域Ａｅを手指Ｆ等で押さえやすくなり、手指Ｆ等でトラクタ用紙６の紙押さえ領域Ａｅを押さえながら、可動カバー１７をより確実に閉じることができる。
【００３２】
以上、本発明の好適な実施形態について説明したが、本発明は上記実施形態には限定されず、種々の変形が可能である。例えば、本発明にかかる事務機は、コンピュータの本体部を含まないプリンタ装置として構成することも可能である。また、トラクタの装着位置や、トラクタの形状、装着姿勢等も、上記実施形態には限定されない。
【００３３】
また、紙押さえ領域のスペック（位置や、大きさ、形状等）は、手指等で押さえたまま可動カバーを閉位置から開位置へ移動させることができるのであれば、適宜に変更することができる。例えば、載置領域における紙押さえ領域は、搬送方向の上流側や給紙口の開口縁側以外の位置に形成することができる。また、可動カバーに切欠や貫通穴を設けることで、紙押さえ領域を形成することができる。この場合、切欠や貫通穴は、少なくとも指が入る程度の大きさとする。また、上記実施形態では、トラクタ用紙がベルトユニット（トラクタ）のベース上に載置され、トラクタ用紙の紙押さえ領域を手指等で当該ベース上に押しつける構成を例示したが、トラクタ用紙がピンベルトのベルト部上に載置され、トラクタ用紙の紙押さえ領域を手指等でピンベルトのベルト部上に押しつける構成としても本発明を実施することができる。また、上記実施形態では、トラクタが筐体内に納められて小型化される構成を例示したが、トラクタの上流側が筐体外に突出する構成としても本発明を実施することができる。また、可動カバーをアクチュエータ等によって自動的に開閉することができる。
【産業上の利用可能性】
【００３４】
以上のように、本発明は、ピンベルトによってトラクタ用紙を搬送するトラクタおよび当該トラクタを備える事務機に有用である。
【先行技術文献】
【特許文献】
【００３５】
【特許文献１】特開２００８−７３０１公報
【符号の説明】
【００３６】
１  事務機
２  筐体
６  トラクタ用紙
６ｂ  送り孔
７  給紙口
７ａ  開口縁
９  トラクタ
１４  ピンベルト
１４ｂ  ピン
１５  ベース
１５ａ  上面
１７  可動カバー
Ａｅ  紙押さえ領域
Ａｐ  載置領域
Ｓ  非突出区間
【図１】
2011046508.tif 000003
【図２】
2011046508.tif 000004
【図３】
2011046508.tif 000005
【図４】
2011046508.tif 000006
【図５】
2011046508.tif 000007